(57)【要約】【課題】一つの温度センサで冷蔵室および野菜室の温度変化を迅速にかつ正確に検知することができる冷蔵庫を得る。【解決手段】少なくとも冷蔵室５と、野菜室６と、冷凍室９とを配設し、圧縮機３０、凝縮器３１、冷蔵室５および野菜室６を冷却する冷蔵用蒸発器３５と、冷凍室９を冷却する冷凍用蒸発器３６と、冷蔵用蒸発器３５からの冷気を冷蔵室５および野菜室６に循環させる冷蔵用ファン１１とを備え、前記冷蔵用蒸発器３５からの冷気は、冷蔵用ファン１１により冷蔵室５に送風された後、野菜室６を介して再び冷蔵用蒸発器３５に戻るとともに、冷蔵室５および野菜室６の室内温度を検出する冷蔵温度センサ５０を、野菜室６側に取付ける。【選択図】　図１
2004069253.tif 000002
【特許請求の範囲】
【請求項１】
少なくとも冷蔵室と、野菜室と、冷凍室とを配設し、圧縮機、凝縮器、冷蔵室および野菜室を冷却する冷蔵用蒸発器と、冷凍室を冷却する冷凍用蒸発器と、冷蔵用蒸発器からの冷気を冷蔵室および野菜室に循環させる冷蔵用ファンとを備え、前記冷蔵用蒸発器からの冷気は、冷蔵用ファンにより冷蔵室に送風された後、野菜室を介して再び冷蔵用蒸発器に戻るとともに、冷蔵室および野菜室の室内温度を検出する冷蔵温度センサを、野菜室側に取付けたことを特徴とする冷蔵庫。
【請求項２】
冷凍用蒸発器に冷媒が流れるよう切替弁を切替えた場合に、冷蔵用ファンを回転させることを特徴とする請求項１記載の冷蔵庫。
【請求項３】
上から順に少なくとも冷蔵室と、引出し扉式の野菜室と、冷凍室とを配設し、野菜室内に設けた開扉動作に併せて庫外に引き出される収納容器と、野菜室と冷蔵室を仕切り冷気を流通させる通風口を穿設した仕切板と、圧縮機、凝縮器、冷蔵室および野菜室を冷却する冷蔵用蒸発器、冷凍室を冷却する冷凍用蒸発器、冷媒の流れを冷蔵用蒸発器と冷凍用蒸発器とに切り替える切替弁とを有する冷凍サイクルと、冷蔵用蒸発器と冷蔵室および野菜室の空気を熱交換する冷蔵用ファンとを備え、前記冷蔵用蒸発器と熱交換された冷気は、冷蔵用ファンの回転により、冷蔵室内に送風されて室内を冷却してから前記通風口より野菜室内に流入して室内を冷却した後、野菜室背面に設けた吸込口から前記冷蔵用蒸発器の近傍に戻されて再び熱交換されるとともに、　前記冷蔵用ファンは、冷凍用蒸発器に冷媒が流れるよう切替弁を切替えた場合においても回転させ、冷蔵室および野菜室を冷却制御するために庫内温度を検出する冷蔵温度センサを、野菜室側の背面または前記通風口の近傍に取付けたことを特徴とする冷蔵庫。
【請求項４】
冷却制御などを行う制御基板を、野菜室の背面に位置する外箱に配設したことを特徴とする請求項１ないし３記載の冷蔵庫。
【発明の詳細な説明】
【０００１】
【発明の属する技術分野】
本発明は、冷蔵室用蒸発器と冷凍室用蒸発器とを備え、切替弁を用いて冷蔵室又は冷凍室側に冷媒を循環させる冷凍サイクルをもち、冷蔵室、冷凍室冷却を切り替えることで交互に冷却する冷蔵庫に関する。
【０００２】
【従来の技術】
近年の家庭用冷蔵庫では、その大型化に伴い省電力設計とされており、その中で冷蔵室用蒸発器、冷凍室用蒸発器を有する構成が商品化されている。ここで図面に基づいて上記構成の冷蔵庫について説明する。図３は従来冷蔵庫を示す斜視図である。図４は図３のＢ−Ｂ概略縦断面図である。図５は冷凍サイクルを示す説明図である。
【０００３】
冷蔵庫本体１は、内箱２と外箱３の間に発泡充填した断熱材４から断熱箱体を形成しており、上から順に冷蔵室５、野菜室６、冷凍室９を配設し、野菜室６と冷凍室９の間には製氷室７と切替室８を併設した貯蔵室を有している。冷蔵室５と野菜室６はプラスチック製の仕切板１３によって区画され、野菜室６、製氷室７、切替室８、冷凍室９はそれぞれ断熱壁２１，２３によって区画されている。
仕切板１３には冷蔵室５と野菜室６の空気の流れが連通するように送風口１２を穿設している。
【０００４】
冷蔵室５の開口部には回転式の扉５ａを枢支しており、冷蔵室５の背面と天井面には、それぞれ背面ダクト１０ａと天井ダクト１０ｂを形成している。背面ダクト１０ａの前面にはダクトカバー１１を取付けており、ダクトカバー１１には冷気を吹き出す複数のＲ吹出口１１ａ、冷蔵室２と野菜室３を冷却制御するために冷蔵室の温度を検知する冷蔵温度センサ５０（以下、Ｒセンサとする）などを取付けている。
【０００５】
野菜室は、引出し式の扉６ａを設けており、扉６ａの開閉動作に合わせて庫外へ出し入れされる収納容器１５を備えている。野菜室６の背面側には冷蔵冷却器室１９を設けており、内部に冷蔵用ファン１４（以下、Ｒファンとする）と冷蔵用蒸発器３５（以下、Ｒエバとする）などを備えている。冷蔵冷却器室１９の前面は冷蔵冷却器室カバー１７によって覆われており、このカバーの上部には野菜室内に冷気を吹き出すＶ吹出口１６を設け、下部には吸込口１８を設けている。
【０００６】
冷蔵冷却器室１９の背後に位置する外箱３には、冷蔵庫本体１の制御部である制御基板６０を有しており、この制御基板６０はＲセンサ５０を含む庫内外の電気部品とリード線を介して電気的に接続している。
【０００７】
製氷室７、切替室８、冷凍室９の背面側には冷凍冷却器室２５を設けており、内部に冷凍用ファン２２（以下、Ｆファンとする）、冷凍用蒸発器３６（以下、Ｆエバとする）、冷凍除霜ヒータ２４などを備えている。冷凍冷却器室２５の前面には冷凍冷却器室カバー２６を設け、このカバーには冷凍室９、製氷室７、切替室８を冷却制御するために冷凍室９の温度を検知する冷凍温度センサ５１（以下、Ｆセンサとする）を取付けている。なお、製氷室７には製氷用の温度センサ、切替室８には専用の温度センサをそれぞれ設けている。
【０００８】
冷蔵庫本体１の背面底部には機械室２７を設けており、内部には圧縮機３０、機械室ファン２８（以下、Ｃファンとする）などを備えている。
【０００９】
一方、冷凍サイクルは図５に示すように、圧縮機３０、凝縮器３１、冷媒の流れを切替えたり、全閉、全開動作をする切替弁３１を直列に接続し、冷蔵用キャピラリチューブ（以下、Ｒキャピラリ３３とする）、Ｒエバ３５とを接続した連結配管と、冷凍用キャピラリチューブ３４（以下、Ｆキャピラリとする）、Ｆエバ３６、アキュームレータ３７、逆止弁３８とを接続した連結配管とが並列となるよう接続している。
【００１０】
また、各室の基本冷却制御は、Ｒセンサ５０およびＦセンサ５１の検知温度などに基づいて、Ｒキャピラリ３３、Ｒエバ３５とを接続した連結配管に冷媒を供給する冷蔵運転モードと、Ｆキャピラリチューブ３４、Ｆエバ３６、アキュームレータ３７、逆止弁３８とを接続した連結配管に冷媒を供給する冷凍運転モードとを、切替弁２６を操作して交互に冷媒の流れを切り替えて冷却制御するよう構成している。
【００１１】
【発明が解決しようとする課題】
しかしながら、Ｒセンサ５０は冷蔵室のダクトカバー１１に取付けられているため、Ｒセンサ５０の近傍に設けたＲ吹出口１１ａから吹き出す冷気の影響を大きく受け、目標温度に対する検知温度の信頼性が低いという問題点があった。
【００１２】
そもそも、温度センサは庫内全体を目標温度に保持することを目的とするものである。ところがＲ吹出口１１ａの前方に食料品が載置された場合には、冷気の風路は食料品によって塞がれてしまい、Ｒ吹出口１１ａと食料品との空間は他の空間と比べて温度が低下する。従って、この空間の温度をＲセンサ５０が検知して冷却制御を行うと、庫内全体としては目標温度よりも高く保持されることが発生する。
【００１３】
また、冷蔵運転モードへの切替直後、圧縮機３０，Ｒファン１４の始動直後などには、Ｒ吹出口１１ａから吹き出された冷気温度と庫内温度との差は大きく、Ｒセンサ５０の検知温度は吹き出された冷気の影響を受けて急速に下降するが、庫内全体としては温度下降するまでに相当の時間を要するため、Ｒセンサ５０の検知温度と実際の庫内温度とに誤差が生じることになる。
【００１４】
従って、Ｒセンサ５０の検知温度は、食料品の載置状態または冷却運転状態などによって、冷気の影響を受けて変化するため、Ｒセンサ５０の信頼性は低く、目標温度に対して冷蔵室全体の温度を正確に保持することが困難であった。
【００１５】
野菜室６においては、扉６ａを長時間開けたときなど野菜室６内の温度が急激に上昇した際に、野菜室６の冷却制御を行うために庫内温度を検知するＲセンサ５０は、冷気の上流側である冷蔵室５側に設けられているため、この温度上昇を迅速に検知することができず、野菜室６の冷却制御に適するものではなかった。
【００１６】
また、制御基板６０を野菜室６の背面に備えた冷蔵庫においては、冷蔵室５までリード線等を延在させなければならないため、コスト高となっていた。さらに、Ｒセンサ５０の取付け位置は使用者の目に入り易いダクトカバー１１であるため、外観意匠を害するものであった。
【００１７】
本発明は上記問題を考慮してなされたものであり、冷蔵室および野菜室の温度変化を迅速にかつ正確に検知することができる冷蔵庫を得ることを目的とする。
【００１８】
【課題を解決するための手段】
請求項１の発明は、少なくとも冷蔵室と、野菜室と、冷凍室とを配設し、圧縮機、凝縮器、冷蔵室および野菜室を冷却する冷蔵用蒸発器と、冷凍室を冷却する冷凍用蒸発器と、冷蔵用蒸発器からの冷気を冷蔵室および野菜室に循環させる冷蔵用ファンとを備え、前記冷蔵用蒸発器からの冷気は、冷蔵用ファンにより冷蔵室に送風された後、野菜室を介して再び冷蔵用蒸発器に戻るとともに、冷蔵室および野菜室の室内温度を検出する冷蔵温度センサを、野菜室側に取付けたことを特徴とするものである。
【００１９】
上記構成によれば、従来のように冷気吹出口の近傍に冷蔵温度センサを設けていないため、食料品の載置状態などによって検知温度が左右されることなく、正確に庫内温度を検知することができ、もって冷蔵温度センサの信頼性を向上させることができる。
【００２０】
また、冷気の流れの下流側である野菜室に冷蔵温度センサを設けたことにより、冷蔵室または野菜室のいずれかに過負荷がかかり急激に温度上昇した場合においても、確実に温度上昇を検知することができる。逆に、外気温が低い場合など、冷却運転によっていずれかの冷却室が過冷却状態に到った場合においても、冷気の下流側で温度検知しているため、冷蔵室および野菜室の温度状態を確実に把握することができる。
【００２１】
請求項２の発明は、冷凍用蒸発器に冷媒が流れるよう切替弁を切替えた場合において、冷蔵用ファンを回転させることを特徴とするものである。
【００２２】
本発明によれば、冷凍用蒸発器に冷媒が流れるよう切替弁を切替えた場合、すなわち冷凍運転モード時でも、冷蔵用ファンの回転により冷蔵室と野菜室の空気を循環させるため、冷蔵室又は野菜室いずれか一方に過負荷がかかり庫内温度が上昇しても、迅速に温度上昇を検知することができる。
【００２３】
具体的には、野菜室が温度上昇した場合には、野菜室側に冷蔵温度センサを設けているため、室内の雰囲気温度を迅速に検出することができる。一方、冷蔵室が温度上昇した場合には、温度上昇した室内の空気は冷蔵用ファンの回転により冷気の下流側である野菜室に送風され、冷蔵室の温度上昇の影響を受けて野菜室も温度上昇するため、野菜室内の温度を検知することによって、冷蔵室の温度が上昇したことを迅速に検出することができる。
【００２４】
また、冷蔵用蒸発器に冷媒が流れている状態、すなわち冷蔵運転モードでは、冷蔵用蒸発器に空気中の水分が霜となって着霜するため、冷凍運転モードであっても、冷蔵用蒸発器は−３℃程度の低温度を保持している。従って、冷蔵室に吹き出しされる冷気は、室温とほぼ同温かそれ以下であるため、冷蔵ファンの回転により冷蔵室および野菜室の温度上昇に大きな影響を与えることはなく、逆に冷蔵用蒸発器に付着した水分を含んだ空気を各貯蔵室に還元することができ、高湿度を保持することができる。
【００２５】
請求項３の発明は、上から順に少なくとも冷蔵室と、引出し扉式の野菜室と、冷凍室とを配設し、野菜室内に設けた開扉動作に併せて庫外に引き出される収納容器と、野菜室と冷蔵室を仕切り冷気を流通させる通風口を穿設した仕切板と、圧縮機、凝縮器、冷蔵室および野菜室を冷却する冷蔵用蒸発器、冷凍室を冷却する冷凍用蒸発器、冷媒の流れを冷蔵用蒸発器と冷凍用蒸発器とに切り替える切替弁とを有する冷凍サイクルと、冷蔵用蒸発器と冷蔵室および野菜室の空気を熱交換する冷蔵用ファンとを備え、前記冷蔵用蒸発器と熱交換された冷気は、冷蔵用ファンの回転により、冷蔵室内に送風されて室内を冷却してから前記通風口より野菜室内に流入して室内を冷却した後、野菜室背面に設けた吸込口から前記冷蔵用蒸発器の近傍に戻されて再び熱交換されるとともに、　前記冷蔵用ファンは、冷凍用蒸発器に冷媒が流れるよう切替弁を切替えた場合においても回転させ、冷蔵室および野菜室を冷却制御するために庫内温度を検出する冷蔵温度センサを、野菜室側の背面または前記通風口の近傍に取付けたことを特徴とするものである。
【００２６】
上記構成によれば、請求項１，２の効果を奏するとともに、従来の構成では冷蔵室のダクトカバー等、使用者の目に入り易い場所に冷蔵温度センサを取付けていたが、通常の使用では収納容器などよって目視できない野菜室内に冷蔵温度センサを設けているため、庫内の外観意匠を向上させることができる。
【００２７】
また、冷蔵温度センサの取付け位置は、野菜室内の背面や通風口の近傍であるため、食料品の載置状態等によって検知温度が変化することがないため、冷蔵温度センサの信頼性を向上させることができる。
【００２８】
請求項４の発明は、冷却制御などを行う制御基板を、野菜室の背面に位置する外箱に配設したことを特徴とするものであり、制御基板と冷蔵温度センサとの配置位置が近接しているため、相互に電気的接続をするリード線の長さを短くすることができ、安価に製造することができるとともに、組立の作業性を向上させることができる。
【００２９】
【発明の実施の形態】
以下、図面に基づいて、本発明の１実施形態を説明する。なお、従来の冷蔵庫と同一構成の場合は同符号を付し、その構成の説明は省略する。
【００３０】
図１は構成の説明上扉と仕切板１３を除去した冷蔵庫本体を示す概略正面図であり、図２は図１のＡ−Ａ縦断面図である。図１，２に示すように、野菜室６の背面に設けた冷蔵冷却器室１９の左則には、庫内の電気部品、例えば図２に示すように仕切板１３に設けた脱臭装置５２や給水ポンプ５３の電源コネクタを収納する収納ケース４０を取付けている。
【００３１】
収納ケース４０は、収納部材４１と収納カバー４５とから形成されており、収納部材４１には、上面部と右側則面部とに図示しない開口部を設けている。電器部品からのコネクタは上面部に設けた開口部から、制御基板６０からの中継コネクタは冷蔵冷却器室１９の背面に設けた取出口を介して右側則面部に設けた開口部から、それぞれ収納部材４１に組込んでいる。
【００３２】
収納部材４１の上面部には、開口部に併設してセンサ取付部４３を形成しており、このセンサ取付部４３にはＲセンサ５０を取付けている。Ｒセンサ５０の束線は、中継コネクタを介さず制御基盤６０から直接、取出口、各開口部を介して配線しており、センサ取付部４３は、取付部にＲセンサ５０を押圧して取付け固定できるように爪部４４を形成している。
【００３３】
センサ取付部４３の配設位置は、奥行方向に対しては、Ｖ吹出口１６からの冷気の影響を受けないように、Ｖ吹出口１６より庫内奥側に設けており、高さ方向に対しては仕切板１３とクリスパカバー２０との間に設けられており、送風口１２の近傍に配設している。
【００３４】
一方、収納カバー４５の上面部には、センサ保護部４６を形成しており、センサ保護部４６は、Ｒセンサ５０が周囲の雰囲気温度を検知し易いようにスリット状となっている。
【００３５】
次に、Ｒファン１４の動作について、図１，２，４を参照して説明する。
【００３６】
切替弁３２がＲ流しに切替えられた場合、つまり冷蔵運転モード中においては、庫内温度や圧縮機３０の回転数に応じてＲファン１４を所定の回転数で運転するよう制御している。このとき庫内温度が目標温度以下となり圧縮機３０の運転を止めて冷却停止した場合には、Ｒエバ３５に着霜した水分を冷蔵室５および野菜室６に還元するために、Ｒファン１４を低速で回転させてもよい。
【００３７】
一方、切替弁３２がＦ流しに切替えられた場合、つまり冷凍運転モード中においては、Ｒファン１４を低速回転で運転するよう制御している。これは、Ｒエバ３５に付着した水分を冷蔵室５および野菜室６に還元するためであるが、Ｒエバ３５の温度が室温より高温、例えば３℃以上になると、Ｒエバ３５に付着した霜は完全に融解しているため、このときにはＲファン１４を停止させる方が好ましい。また、冷凍運転モード中、つまりＲエバ３５に冷媒が流れていない状態でも、上述した通りＲエバ３５には霜が付着しているため、Ｒエバ温度は−３℃程度の低温度に保持されており、Ｒファン１４の回転によって庫内温度が急激に上昇することはない。
【００３８】
また、両モードに共通して冷蔵室５の開扉を検知した場合には、庫内の冷気を庫外にリークしないようにＲファン１４を停止させる。このとき開扉を検知した直前、例えば１０秒間程度は、天井ダクト１０ａからの冷気、いわゆるエアカーテン作用をおこなうために回転させてもよい。
【００３９】
従って、冷蔵運転モード、冷凍運転モードのいずれにおいても通常の冷却運転中では、Ｒファン１４は常時または断続的に回転するように構成しているため、例えば、冷凍運転モード中に冷蔵室５が開扉されて温度上昇した場合に、温度上昇した冷蔵室５の空気を常時または断続的に冷気の下流側である野菜室６に送風することによって、Ｒセンサ５０は冷蔵室５の温度変化を迅速に検出することができる。
【００４０】
次に、冷蔵室５および野菜室６の冷気循環風路について、図１，２を参照して説明する。
【００４１】
冷蔵冷却器室１９内の空気はＲエバ３５と熱交換して冷気となり、その一部はＶ吹出口１６からクリスパカバー２０の上面部に吹き出され、他の冷気はＲファン１４の回転により背面ダクト１０ａに送風された後、Ｒ吹出口１１ａから冷蔵室５の各棚上に吹き出されるとともに、天井ダクト１０ｂを介して扉５ａの内側に向けて吹き出される。
【００４２】
そして、冷蔵室５に吹き出された冷気は、庫内を冷却し、仕切板１７の上面を通って、通風口１２よりクリスパカバー２０の上面に吹き出される。この吹き出された冷気およびＶ吹出口１６から吹き出された冷気は、クリスパカバー２０に沿って扉内側に向けて送風され、収納容器１５の前面および底面の外壁を通って、野菜室６内を間接的に冷却する。冷却し終えた空気は、吸込口１８より冷蔵冷却器室１９に戻されて、再びＲエバ３５と熱交換されるように構成している。
【００４３】
従って、冷蔵室５で温度上昇があった場合においても、冷気の下流側である野菜室６にＲセンサ５０を設けているため、迅速かつ確実に冷蔵室５の温度上昇を検出することができるとともに、野菜室６の場合においては、言うまでもなく室内の温度変化を迅速かつ確実に検出することができる。
【００４４】
以上、説明したように本発明の構成によれば、冷蔵室５および野菜室６を冷却制御するために庫内温度を検知するＲセンサ５０を野菜室６側に配設したことにより、従来のように冷蔵室５の棚に載置した食料品の載置状態などによって検知温度が左右されることなく、正確に庫内温度を検知することができ、もってＲセンサ５０の信頼性を向上させることができる。
【００４５】
冷気の流れの下流側である野菜室６にＲセンサ５０を設けたことにより、冷蔵室５または野菜室６のいずれかに過負荷がかかり急激に温度上昇した場合においても、確実に温度上昇を検知することができる。逆に、外気温が低い場合など、冷却運転によっていずれかの冷却室が過冷却状態に到った場合においても、冷気の下流側で温度検知しているため、冷蔵室５および野菜室６の温度状態を確実に把握することができる。
【００４６】
Ｒセンサ５０を野菜室５の背面に取付けたことにより、冷蔵室５に取付けていた場合とは異なり、収納容器１５内に収納した食料品の載置状態、または、圧縮機３０の始動直後など各吹出口から吹き出される冷気の影響によって、検知温度が左右されることを抑制防止することができる。
【００４７】
この場合、特に奥行方向に対して、Ｖ吹出口１６よりも背面側にＲセンサ５０を取付けた方が効果的である。また、使用者からはＲセンサ５０の取付け場所を見ることはできないため、外観意匠を向上させることができる。さらに、冷蔵室５からの空気が野菜室６に流れる送風口１２の近傍にＲセンサ５０を配設したことにより、冷蔵室５の温度変化を迅速にかつ確実に検知をすることができる。
【００４８】
冷凍モードにおいてもＲファン１４を回転させることにより、常時または断続的に冷蔵室５と野菜室６内の空気は循環されて、いずれか一方に過負荷がかかり温度上昇があった場合などにおいても迅速かつ確実に温度変化を検知することができる。
【００４９】
制御基板６０を野菜室５の背面に設けた冷蔵庫であれば、Ｒセンサ５０の配線を従来と比べ短くすることができるとともに、組立の作業性を向上させることができる。
【００５０】
なお、上述で説明した構成は一実施形態にすぎず、要旨を変更しない限り種々の変更が可能である。例えば、Ｒセンサ５０の取付け位置は、これに限るものでなく、野菜室の側壁や底面、冷蔵冷却器室カバーに取付けてもよい。また、Ｒエバ、Ｒファンは冷蔵室に設けた構成であってもよい。
【００５１】
【発明の効果】
冷蔵室および野菜室の温度変化を迅速にかつ正確に検知することができる冷蔵庫を得ることができる。
【図面の簡単な説明】
【図１】本発明の実施形態を示す冷蔵庫の概略正面図である。
【図２】図１の冷蔵庫本体を示すＡ−Ａ縦断面図である。
【図３】従来の冷蔵庫を示す斜視図である。
【図４】図３の冷蔵庫本体を示すＢ−Ｂ縦断面図である。
【図５】本発明及び従来の冷凍サイクルを示す説明図である。
【符号の説明】
１…冷蔵庫本体　　　　　　　　５…冷蔵室　　　　　　　　　６…野菜室
９…冷凍室　　　　　　　　　　　　１２…送風口　　　　　　　１３…仕切板
１４…Ｒファン　　　　　　１５…収納容器　　　　　　１６…Ｖ吹出口
１８…吸込口　　　　　　　　　　　１９…冷蔵冷却器室　　　　２０…クリスパカバー３０…圧縮機　　　　　　　３１…凝縮器　　　　　　　３２…切替弁
３５…Ｒエバ　　　　　　　３６…Ｆエバ　　　　　　　４０…収納ケース
４１…収納部材　　　　　　４３…センサ取付部　　　　４４…爪部
４５…収納カバー　　　　　４６…センサ保護部　　　　５０…Ｒセンサ
６０…制御基板
【図１】
2004069253.tif 000003
【図２】
2004069253.tif 000004
【図３】
2004069253.tif 000005
【図４】
2004069253.tif 000006
【図５】
2004069253.tif 000007